(57)【要約】【課題】初めて訪れた場所でも適切な待ち合わせ場所を提示することのできる情報処理システムを提供する。【解決手段】情報処理システムのサーバーは、複数の携帯端末それぞれの撮影位置および撮影方向を取得するための要求入力部３０１と、撮影位置・方向を、ランドマークの位置情報と比較することで、複数の携帯端末それぞれの撮影範囲に存在するランドマークを決定するための第１の決定部３０３と、決定されたランドマークのうち、少なくとも２つの携帯端末の撮影範囲に存在するランドマークを待ち合わせ場所の候補と決定するための第２の決定部３０５と、待ち合わせ場所の候補と決定されたランドマークを特定する情報を表わす画像データーを携帯端末に対して送信するための送信部３０７とを含む。【選択図】図８
2013054509.tif 000002
【特許請求の範囲】
【請求項１】
それぞれ撮影手段および表示手段を含む、複数の携帯端末と、
前記携帯端末と相互に通信可能なサーバーとを備え、
前記サーバーは、
前記複数の携帯端末それぞれの撮影位置および撮影方向を取得するための第１の取得手段と、
前記撮影位置および前記撮影方向を、記憶装置に記憶されているランドマークの位置情報と比較することで、前記複数の携帯端末それぞれの撮影範囲に存在するランドマークを決定するための第１の決定手段と、
前記複数の携帯端末それぞれの撮影範囲に存在するランドマークのうち、前記複数の携帯端末のうちの少なくとも２つの携帯端末の撮影範囲に存在するランドマークを待ち合わせ場所の候補と決定するための第２の決定手段と、
前記待ち合わせ場所の候補と決定されたランドマークを特定する情報を表わす画像データーを、少なくとも当該ランドマークを撮影範囲に含む携帯端末に対して送信するための送信手段とを含み、
前記携帯端末は、前記撮影手段で撮影して得られた撮影画像と、前記ランドマークを特定する情報を表わす画像データーとを合成し、前記表示手段に表示する処理を実行するための処理手段を含む、情報処理システム。
【請求項２】
前記送信手段は、前記複数の携帯端末のそれぞれに対して、前記待ち合わせ場所の候補と決定されたランドマークを特定する情報を表わす画像データーと、当該携帯端末の撮影範囲に存在するランドマークを特定する情報を表わす画像データーとを送信し、
前記携帯端末では、前記待ち合わせ場所の候補と決定されたランドマークを特定する情報を表わす画像を、待ち合わせ場所の候補ではない当該携帯端末の撮影範囲に存在するランドマークを特定する情報を表わす画像とは異なる表示態様で表示する、請求項１に記載の情報処理システム。
【請求項３】
前記サーバーは、前記複数の携帯端末それぞれの位置と前記待ち合わせ場所の候補と決定されたランドマークの位置とに基づいて、複数の前記待ち合わせ場所の候補と決定されたランドマークに対して優先順位を決定するための第３の決定手段をさらに含み、
前記送信手段は、前記優先順位を表わす情報と共に前記待ち合わせ場所の候補と決定されたランドマークを特定する情報を表わす画像データーを送信する、請求項１または２に記載の情報処理システム。
【請求項４】
前記第３の決定手段は、前記複数の携帯端末それぞれの位置から前記待ち合わせ場所の候補と決定されたランドマークまでの距離の総和、または移動コストの総和に基づいて前記優先順位を決定する、請求項３に記載の情報処理システム。
【請求項５】
前記第３の決定手段は、前記複数の携帯端末のうちの特定の携帯端末の位置から前記待ち合わせ場所の候補と決定されたランドマークまでの距離の総和、または移動コストの総和に基づいて前記優先順位を決定する、請求項３に記載の情報処理システム。
【請求項６】
前記第２の決定手段は、前記複数の携帯端末すべての撮影範囲に存在するランドマークを前記待ち合わせ場所の候補と決定する、請求項１〜５のいずれかに記載の情報処理システム。
【請求項７】
前記送信手段は、前記待ち合わせ場所の候補と決定されたランドマークを撮影範囲に含む携帯端末の数を表わす情報と共に前記待ち合わせ場所の候補と決定されたランドマークを特定する情報を表わす画像データーを送信し、
前記携帯端末では、前記待ち合わせ場所の候補と決定されたランドマークを特定する情報を表わす画像を、当該ランドマークを撮影範囲に含む携帯端末の数に応じた表示態様で表示する、請求項１〜５のいずれかに記載の情報処理システム。
【請求項８】
前記サーバーは、前記携帯端末の位置から前記待ち合わせ場所の候補と決定されたランドマークまでの方向を特定するための特定手段をさらに含み、
前記送信手段は、前記複数の携帯端末のうちの前記待ち合わせ場所の候補と決定されたランドマークを撮影範囲に含まない携帯端末に対して、前記待ち合わせ場所の候補と決定されたランドマークを特定する情報を表わす画像データーに替えて、前記待ち合わせ場所の候補と決定されたランドマークに向かう方向を表わす画像データーを送信する、請求項１〜５のいずれかに記載の情報処理システム。
【請求項９】
前記サーバーは、前記複数の携帯端末を登録するための登録手段をさらに備える、請求項１〜８のいずれかに記載の情報処理システム。
【請求項１０】
前記サーバーは、前記待ち合わせ場所の候補と決定された複数のランドマークについて前記複数の携帯端末からの選択を受け付け、前記複数のランドマークのうち選択した携帯端末の数が最も多いランドマークを待ち合わせ場所に決定するための第４の決定手段をさらに含む、請求項１〜９のいずれかに記載の情報処理システム。
【請求項１１】
それぞれ撮影手段および表示手段を含む、複数の携帯端末と相互に通信可能なサーバーであって、
前記複数の携帯端末それぞれの撮影位置および撮影方向を取得するための第１の取得手段と、
前記撮影位置および前記撮影方向を、記憶装置に記憶されているランドマークの位置情報と比較することで、前記複数の携帯端末それぞれの撮影範囲に存在するランドマークを決定するための第１の決定手段と、
前記複数の携帯端末それぞれの撮影範囲に存在するランドマークのうち、前記複数の携帯端末のうちの少なくとも２つの携帯端末の撮影範囲に存在するランドマークを待ち合わせ場所の候補と決定するための第２の決定手段と、
前記待ち合わせ場所の候補と決定されたランドマークを特定する情報を表わす画像データーを、少なくとも当該ランドマークを撮影範囲に含む携帯端末に対して送信するための送信手段とを備える、サーバー。
【請求項１２】
撮影手段および表示手段を含む携帯端末で待ち合わせ場所の候補を表示する方法であって、
前記撮影手段で撮影を行なうステップと、
前記撮影時の位置および方向を前記携帯端末からサーバーに送信するステップと、
前記サーバーにおいて、前記撮影時の位置および方向を記憶装置に記憶されているランドマークの位置情報と比較することで、前記携帯端末の撮影範囲に存在するランドマークを決定するステップと、
前記サーバーにおいて、前記決定されたランドマークと、前記携帯端末以外の他の携帯端末の撮影範囲に存在するランドマークとを比較することで、前記決定されたランドマークのうち、少なくとも前記他の携帯端末の撮影範囲に存在するランドマークを前記待ち合わせ場所の候補と決定するステップと、
前記待ち合わせ場所の候補と決定されたランドマークを特定する情報を表わす画像データーを、前記サーバーから前記携帯端末に対して送信するステップと、
前記撮影手段での撮影画像と前記待ち合わせ場所の候補と決定されたランドマークを特定する情報を表わす画像データーとを合成し、前記表示手段に表示するステップとを備える、表示方法。
【発明の詳細な説明】
【技術分野】
【０００１】
この発明は情報処理システム、サーバー、および表示方法に関し、特に、待ち合わせ場所の候補を提示する情報処理システム、サーバー、および表示方法に関する。
【背景技術】
【０００２】
携帯電話機などの携帯端末の普及によって、各ユーザーの携帯端末を利用してこれらユーザーの待ち合わせ場所を提示するシステムが提案されている。
【０００３】
たとえば、特開２００９−２０７３２号公報（以下、特許文献１）は、各携帯端末の移動履歴の相対性を判定し、その判定結果に基づいた待ち合わせ場所を検索するシステムを開示している。
【先行技術文献】
【特許文献】
【０００４】
【特許文献１】特開２００９−２０７３２号公報
【発明の概要】
【発明が解決しようとする課題】
【０００５】
しかしながら、特許文献１の技術は携帯端末の移動履歴に基づくものであるため、当該携帯端末を携帯したユーザーが初めて訪れた場所では待ち合わせ場所が提示されない、という問題があった。
【０００６】
本発明はこのような問題に鑑みてなされたものであって、初めて訪れた場所でも適切な待ち合わせ場所を提示することのできる情報処理システム、サーバー、および表示方法を提供することを目的としている。
【課題を解決するための手段】
【０００７】
上記目的を達成するために、本発明のある局面に従うと、情報処理システムは、それぞれ撮影手段および表示手段を含む、複数の携帯端末と、携帯端末と相互に通信可能なサーバーとを備える。サーバーは、複数の携帯端末それぞれの撮影位置および撮影方向を取得するための第１の取得手段と、撮影位置および撮影方向を、記憶装置に記憶されているランドマークの位置情報と比較することで、複数の携帯端末それぞれの撮影範囲に存在するランドマークを決定するための第１の決定手段と、複数の携帯端末それぞれの撮影範囲に存在するランドマークのうち、複数の携帯端末のうちの少なくとも２つの携帯端末の撮影範囲に存在するランドマークを待ち合わせ場所の候補と決定するための第２の決定手段と、待ち合わせ場所の候補と決定されたランドマークを特定する情報を表わす画像データーを、少なくとも当該ランドマークを撮影範囲に含む携帯端末に対して送信するための送信手段とを含む。携帯端末は、撮影手段で撮影して得られた撮影画像と、ランドマークを特定する情報を表わす画像データーとを合成し、表示手段に表示する処理を実行するための処理手段を含む。
【０００８】
好ましくは、送信手段は、複数の携帯端末のそれぞれに対して、待ち合わせ場所の候補と決定されたランドマークを特定する情報を表わす画像データーと、当該携帯端末の撮影範囲に存在するランドマークを特定する情報を表わす画像データーとを送信し、携帯端末では、待ち合わせ場所の候補と決定されたランドマークを特定する情報を表わす画像を、待ち合わせ場所の候補ではない当該携帯端末の撮影範囲に存在するランドマークを特定する情報を表わす画像とは異なる表示態様で表示する。
【０００９】
好ましくは、サーバーは、複数の携帯端末それぞれの位置と待ち合わせ場所の候補と決定されたランドマークの位置とに基づいて、複数の待ち合わせ場所の候補と決定されたランドマークに対して優先順位を決定するための第３の決定手段をさらに含み、送信手段は、優先順位を表わす情報と共に待ち合わせ場所の候補と決定されたランドマークを特定する情報を表わす画像データーを送信する。
【００１０】
より好ましくは、第３の決定手段は、複数の携帯端末それぞれの位置から待ち合わせ場所の候補と決定されたランドマークまでの距離の総和、または移動コストの総和に基づいて優先順位を決定する。
【００１１】
より好ましくは、第３の決定手段は、複数の携帯端末のうちの特定の携帯端末の位置から待ち合わせ場所の候補と決定されたランドマークまでの距離の総和、または移動コストの総和に基づいて優先順位を決定する。
【００１２】
好ましくは、第２の決定手段は、複数の携帯端末すべての撮影範囲に存在するランドマークを待ち合わせ場所の候補と決定する。
【００１３】
好ましくは、送信手段は、待ち合わせ場所の候補と決定されたランドマークを撮影範囲に含む携帯端末の数を表わす情報と共に待ち合わせ場所の候補と決定されたランドマークを特定する情報を表わす画像データーを送信し、携帯端末では、待ち合わせ場所の候補と決定されたランドマークを特定する情報を表わす画像を、当該ランドマークを撮影範囲に含む携帯端末の数に応じた表示態様で表示する。
【００１４】
好ましくは、サーバーは、携帯端末の位置から待ち合わせ場所の候補と決定されたランドマークまでの方向を特定するための特定手段をさらに含み、送信手段は、複数の携帯端末のうちの待ち合わせ場所の候補と決定されたランドマークを撮影範囲に含まない携帯端末に対して、待ち合わせ場所の候補と決定されたランドマークを特定する情報を表わす画像データーに替えて、待ち合わせ場所の候補と決定されたランドマークに向かう方向を表わす画像データーを送信する。
【００１５】
好ましくは、サーバーは、複数の携帯端末を登録するための登録手段をさらに備える。
好ましくは、サーバーは、待ち合わせ場所の候補と決定された複数のランドマークについて複数の携帯端末からの選択を受け付け、複数のランドマークのうち選択した携帯端末の数が最も多いランドマークを待ち合わせ場所に決定するための第４の決定手段をさらに含む。
【００１６】
本発明の他の局面に従うと、サーバーは、それぞれ撮影手段および表示手段を含む、複数の携帯端末と相互に通信可能なサーバーであって、複数の携帯端末それぞれの撮影位置および撮影方向を取得するための第１の取得手段と、撮影位置および撮影方向を、記憶装置に記憶されているランドマークの位置情報と比較することで、複数の携帯端末それぞれの撮影範囲に存在するランドマークを決定するための第１の決定手段と、複数の携帯端末それぞれの撮影範囲に存在するランドマークのうち、複数の携帯端末のうちの少なくとも２つの携帯端末の撮影範囲に存在するランドマークを待ち合わせ場所の候補と決定するための第２の決定手段と、待ち合わせ場所の候補と決定されたランドマークを特定する情報を表わす画像データーを、少なくとも当該ランドマークを撮影範囲に含む携帯端末に対して送信するための送信手段とを備える。
【００１７】
本発明のさらに他の局面に従うと、表示方法は撮影手段および表示手段を含む携帯端末で待ち合わせ場所の候補を表示する方法であって、撮影手段で撮影を行なうステップと、撮影時の位置および方向を携帯端末からサーバーに送信するステップと、サーバーにおいて、撮影時の位置および方向を記憶装置に記憶されているランドマークの位置情報と比較することで、携帯端末の撮影範囲に存在するランドマークを決定するステップと、サーバーにおいて、決定されたランドマークと、携帯端末以外の他の携帯端末の撮影範囲に存在するランドマークとを比較することで、決定されたランドマークのうち、少なくとも他の携帯端末の撮影範囲に存在するランドマークを待ち合わせ場所の候補と決定するステップと、待ち合わせ場所の候補と決定されたランドマークを特定する情報を表わす画像データーを、サーバーから携帯端末に対して送信するステップと、撮影手段での撮影画像と待ち合わせ場所の候補と決定されたランドマークを特定する情報を表わす画像データーとを合成し、表示手段に表示するステップとを備える。
【発明の効果】
【００１８】
この発明によると、初めて訪れた場所でも適切な待ち合わせ場所の候補を提示することができる。
【図面の簡単な説明】
【００１９】
【図１】実施の形態にかかる情報処理システムの構成の具体例を示す図である。
【図２】情報処理システムに含まれる携帯端末のハードウェア構成の具体例を示す図である。
【図３】情報処理システムに含まれるサーバーのハードウェア構成の具体例を示す図である。
【図４】実施の形態にかかる情報処理システムでの、第１の実施の形態にかかる動作概要を説明するための図である。
【図５】実施の形態にかかる情報処理システムでの、第１の実施の形態にかかる動作概要を説明するための図である。
【図６】情報処理システムでの第１の実施の形態にかかる動作概要を表わす図である。
【図７】携帯端末の機能構成の具体例を示すブロック図である。
【図８】第１の実施の形態にかかるサーバーの機能構成の具体例を示すブロック図である。
【図９】携帯端末での動作の流れの具体例を表わすフローチャートである。
【図１０】サーバーでの動作の流れの具体例を表わすフローチャートである。
【図１１】ユーザー情報の一例を表わした図である。
【図１２】ユーザー情報の一例を表わした図である。
【図１３】ユーザー情報の他の一例を表わした図である。
【図１４】第２の実施の形態にかかるサーバーの機能構成の具体例を示すブロック図である。
【図１５】第２の実施の形態でのユーザー情報の具体例を示す図である。
【図１６】第２の実施の形態での携帯端末の表示例を表わす図である。
【図１７】第１の実施の形態および第２の実施の形態の変形例２での撮影の様子を表わした図である。
【図１８】第１の実施の形態および第２の実施の形態の変形例２でのユーザー情報の具体例を示す図である。
【図１９】第１の実施の形態および第２の実施の形態の変形例２での携帯端末の表示例を表わす図である。
【図２０】第１の実施の形態および第２の実施の形態の変形例３での携帯端末の表示例を表わす図である。
【図２１】第１の実施の形態および第２の実施の形態の変形例４にかかるサーバーの機能構成の具体例を示すブロック図である。
【発明を実施するための形態】
【００２０】
以下に、図面を参照しつつ、本発明の実施の形態について説明する。以下の説明では、同一の部品および構成要素には同一の符号を付してある。それらの名称および機能も同じである。
【００２１】
＜システム構成＞
図１は、実施の形態にかかる情報処理システム１の構成の具体例を示す図である。
【００２２】
図１を参照して、情報処理システム１は、複数の携帯端末２００Ａ，２００Ｂ，…２００Ｎと、これらとネットワークを介して接続されたサーバー３００とを含む。なお、携帯端末２００Ａ，２００Ｂ，…２００Ｎを代表させて携帯端末２００と称する。
【００２３】
携帯端末２００はたとえば携帯電話機などが該当し、少なくともカメラ機能と、指示入力機能と、通信機能とを備えていれば、他の装置であってもよい。
【００２４】
サーバーは、一般的なパーソナルコンピューターなどから構成されるものであればよい。
【００２５】
携帯端末２００とサーバー３００とはネットワークを介して互いに通信可能であり、情報をやり取りする。ネットワークはインターネットや、ＬＡＮ（Local Area Network）などが該当する。
【００２６】
＜装置構成＞
図２は、携帯端末２００のハードウェア構成の具体例を示す図である。
【００２７】
図２を参照して、携帯端末２００は、全体を制御するための演算装置であるＣＰＵ（Central Processing Unit）２０と、ＣＰＵ２０で実行されるプログラムなどを記憶するためのＲＯＭ（Read Only Memory）２１と、ＣＰＵ２０でプログラムを実行する際の作業領域として機能するためのＲＡＭ（Random Access Memory）２２と、磁気センサーを含んで当該携帯端末２００の向きを検出するための電子コンパス２３と、ＧＰＳ（Global Positioning System）信号または基地局からの位置信号を受信して当該携帯端末の位置情報を取得するためのＧＰＳコントローラー２４と、情報を表示したり当該携帯端末２００に対する操作入力を受け付けたりするためのタッチパネルを含んだ操作パネル２５と、カメラ２６と、図示しない基地局と通信することによる電話回線を介した通信を制御するための通信コントローラー２７と、電話帳データーなどを記憶するためメモリー２８とを含む。
【００２８】
操作パネル２５は、一例として、液晶表示装置などの表示装置と光学式タッチパネルや静電容量タッチパネルなどの位置指示装置とが重なって構成されたタッチパネルと、操作キーとを含む。
【００２９】
ＣＰＵ２０は予め記憶されている画面表示をさせるためのデーターに基づいてタッチパネルに操作画面を表示させる。タッチパネルでは操作画面上の指示位置が特定され、その位置を示す操作信号がＣＰＵ２０に入力される。また、押下されたキーを示す操作信号がＣＰＵ２０に入力される。ＣＰＵ２０は押下されたキー、または表示している操作画面と指示位置とから操作内容を特定し、それに基づいて処理を実行する。
【００３０】
また、電子コンパス２３およびＧＰＳコントローラー２４は、取得した当該携帯端末２００の向きや位置情報を示す信号をＣＰＵ２０に入力する。
【００３１】
図３は、サーバー３００のハードウェア構成の具体例を示す図である。
図３を参照して、サーバー３００は上述のように一般的なコンピュータ等によって構成されるものであり、一例として、全体を制御するための演算装置であるＣＰＵ３０と、ＣＰＵ３０で実行されるプログラムなどを記憶するためのＲＯＭ３１と、ＣＰＵ３０でプログラムを実行する際の作業領域として機能するためのＲＡＭ３２と、後述するＭＦＰ情報などを記憶するためのＨＤ（Hard Disk）３３と、電話回線を介した通信を制御するための通信コントローラー３４とを含む。
【００３２】
［第１の実施の形態］
＜動作概要＞
図４および図５は、情報処理システム１での、第１の実施の形態にかかる動作概要を説明するための図である。
【００３３】
情報処理システム１は、複数の携帯端末２００がそれぞれユーザーによって携帯され、それら携帯端末２００を携帯したユーザーが待ち合わせを行なう、といった使い方が想定されている。ここでは、説明の簡便のため、第１の携帯端末として携帯端末２００Ａ、第２の携帯端末として携帯端末２００Ｂを用いて説明する。
【００３４】
すなわち、第１の実施の形態では、情報処理システム１に含まれる携帯端末２００Ａ，２００Ｂでそれぞれ図４に示されるように撮影を行なうと、それぞれの撮影画像に、図５に示されるような付加情報が重ねて表示される。この付加情報は、撮影画像内のランドマークを表わし、さらに、それらランドマークの中から待ち合わせに適したランドマークが他のランドマークと異なる表示態様で表わす。図５の例の場合、ランドマークとして撮影画像中の「店」が付加情報で示されている。
【００３５】
詳しくは、図４を参照して、図４中の点線で表わされた携帯端末２００Ａの撮影範囲には店１，２，４が存在している。そのため、図５（Ａ）で表わされた携帯端末２００Ａの撮影画像においては、店１，２，４が撮影画像に重ねて付加情報で示されている。
【００３６】
同様に、携帯端末２００Ｂの撮影範囲には店１，３，４が存在している。そのため、図５（Ｂ）で表わされた携帯端末２００Ｂの撮影画像においては、店１，３，４が撮影画像に重ねて付加情報で示されている。
【００３７】
さらに、これら撮影画像に共通して含まれる店１，４が、両方の撮影画像に付加情報で他の店と異なる表示態様で表わされている。図５の例では、店１，４を表わす付加情報に基づく画像が二重線で表わされて、他の店の画像よりも強調されている。
【００３８】
なお、この、撮影画像に重ねて表示される付加情報に基づく画像を、以降の説明において「タグ」と称する。
【００３９】
このようなタグが表示されることで、携帯端末２００Ａを携帯したユーザー（ユーザーＡ）は、携帯端末２００Ｂの撮影範囲にも店１，４が存在する、つまり、携帯端末２００Ｂを携帯したユーザー（ユーザーＢ）からも店１，４が近い位置にあることを把握することができる。その逆も同様である。そして、これら店１，４がユーザーＡ，Ｂの待ち合わせに適した位置（ランドマーク）であることを把握することができる。
【００４０】
図６は、このような表示を実現するための情報処理システム１での第１の実施の形態にかかる動作概要を表わす図である。
【００４１】
図６を参照して、携帯端末において当該処理を実行させるためのアプリケーションが起動され（ステップＳ１１）、撮影指示に従ってカメラ２６で撮影されると（ステップＳ１２）、撮影時の位置および向きを表わす情報がサーバーに送信されて、それによってタグデーターがサーバーに対して要求される（ステップＳ１３）。
【００４２】
サーバーは、受信した携帯端末の位置および向きを表わす情報を保存する（ステップＳ３１）。そして、ランドマークとしての各店の位置情報が登録されたデーターベースを参照して、携帯端末の撮影時の位置および向きを表わす情報を解析する処理を実行する（ステップＳ３２）。ここでは、当該携帯端末の撮影範囲に存在している店を特定すると共に、他の携帯端末の撮影範囲に存在している店との重なりを特定する。その解析に基づいて、サーバーは、後述するテーブルを更新した上で（ステップＳ３３）、当該テーブルに基づいて付加情報としてのタグデーターを携帯端末に対して送信する（ステップＳ３４）。
【００４３】
携帯端末は、撮影画像にタグデーターに基づくタグを重ねて表示する（ステップＳ１４）。これにより、図５に表わされたようなタグが撮影画像に重ねて表示され、それに基づいてユーザーは待ち合わせ場所を決定することができる。
【００４４】
＜機能構成＞
図７は、上述の動作を実現するための携帯端末２００の機能構成の具体例を示すブロック図である。図７に示される各機能は、ＣＰＵ２０がＲＯＭ２１に記憶されるプログラムを読み出してＲＡＭ２２上で実行することで、主にＣＰＵ２０に形成される機能である。しかしながら、少なくとも一部の機能が図２に示されたハードウェア構成によって形成されてもよい。
【００４５】
図７を参照して、上記動作を実現するための機能として携帯端末２００は、操作パネル２５からの指示入力を受け付けるための指示入力部２０１と、操作パネル２５からの撮影指示に応じてＧＰＳコントローラー２４より当該携帯端末２００の位置情報を取得するための位置取得部２０２と、操作パネル２５からの撮影指示に応じて電子コンパス２３より当該携帯端末２００の向きを取得するための向き取得部２０３と、操作パネル２５からの撮影指示に応じてカメラ２６による撮影を実行して撮影された画像データーを取得するための画像取得部２０４と、操作パネル２５からの撮影指示に応じて取得された位置情報と向き情報とを通信コントローラー２７を介してサーバー３００に対して送信し、サーバー３００に対してタグデーターを要求するためのサーバー要求部２０５と、該要求に応じてサーバー３００から送信されたタグデーターを通信コントローラー２７を介して取得するためのタグデーター入力部２０６と、撮影して得られた画像データーとタグデーターに基づくタグとを合成して操作パネル２５に表示する処理を実行するための表示処理部２０７と、操作パネル２５からの指示入力に従って後述するユーザーグループを設定するための設定部２０９とを含む。
【００４６】
なお、位置取得部２０２および向き取得部２０３は、操作パネル２５からの撮影指示に応じてそれぞれ位置情報および向き情報を取得するものであるため、その情報は、それぞれ、撮影位置の情報および撮影方向の情報となり得る。そこで、以降の説明では、上記プログラムに従って携帯端末２００からサーバー３００に送信される位置情報および向き情報を、それぞれ、撮影位置情報および撮影方向情報とも称する。
【００４７】
サーバー要求部２０５は、少なくとも撮影位置情報および撮影方向情報をサーバー３００に送信することで、サーバー３００に対してタグデーターを要求する。この要求には、他の情報として、たとえば当該携帯端末２００を特定する情報および／または当該携帯端末２００に対してログインしているユーザーのログイン情報が含まれてもよい。
【００４８】
設定部２０９は、一例として、待ち合わせを行なうユーザーグループと、当該ユーザーグループに属するユーザーとを入力可能な設定画面での入力動作（操作パネル２５へのタッチ）を受け付けることで、入力された情報をユーザーグループ情報として通信コントローラー２７を介してサーバー３００に対して送信する。また、すでに登録されているユーザーグループの情報をサーバー３００から取得して選択可能に設定画面に表示し、当該設定画面において選択動作を受け付けることで、当該携帯端末２００のログインユーザーの属するユーザーグループの選択を受け付けて、その情報をユーザーグループ情報として通信コントローラー２７を介してサーバー３００に対して送信してもよい。
【００４９】
なお、設定部２０９は、携帯端末２００に備えられる機能に限定されず、サーバー３００に備えられてもよいし、サーバー３００と通信可能な、図示しない他の装置に備えられてもよい。
【００５０】
図８は、サーバー３００の機能構成の具体例を示すブロック図である。図８に示される各機能は、ＣＰＵ３０がＲＯＭ３１に記憶されるプログラムを読み出してＲＡＭ３２上で実行することで、主にＣＰＵ３０に形成される機能である。しかしながら、少なくとも一部の機能が図３に示されたハードウェア構成によって形成されてもよい。
【００５１】
図８を参照して、ＨＤ３３には、ランドマークとしての店舗の位置情報を記憶するための記憶領域である店舗情報記憶部３３１と、ユーザー情報として、待ち合わせを行なうユーザーグループを規定したグループ情報、およびユーザーグループに属するユーザーごとに当該ユーザーが携帯する携帯端末の撮影範囲に存在する店舗や当該店舗を撮影範囲とする携帯端末を携帯した他のユーザーの数、などのユーザー情報を記憶するための記憶領域であるユーザー情報記憶部３３２とが含まれる。
【００５２】
さらに図８を参照して、上記動作を実現するための機能としてサーバー３００は、通信コントローラー３４を介して携帯端末２００からのタグデーターの要求や、設定されたユーザーグループを特定する情報の入力を受け付けるための要求入力部３０１と、受け付けたユーザーグループを特定する情報に基づいてユーザーグループを登録するための登録部３１０と、タグデーターの要求に含まれる当該携帯端末２００の撮影位置および撮影方向に基づいてその撮影範囲を解析するための解析部３０２と、当該撮影範囲内に存在する店舗を決定するための第１決定部３０３と、その決定に基づいて当該携帯端末２００を携帯するユーザーに関するユーザー情報を更新するための更新部３０４と、第１決定部３０３で決定された店舗のうち、ユーザー情報に基づいて同じユーザーグループに属するすべてのユーザーの携帯する携帯端末の撮影範囲に存在する店舗を決定するための第２決定部３０５と、第１決定部３０３および第２決定部３０５で決定された店舗を表わすタグデーターを生成するための生成部３０６と、通信コントローラー３４を介して携帯端末２００に対して送信するための送信部３０７とを含む。
【００５３】
生成されるタグデーターは、当該店舗を識別する情報（たとえば「店１」である店名等）とその店舗のタグの表示態様を表わす情報とを含む。生成部３０６は予め、当該携帯端末２００の撮影範囲のみに存在する店舗のタグの表示態様と、ユーザーグループに属するすべてのユーザーの携帯する携帯端末の撮影範囲に存在する店舗のタグの表示態様とを記憶しておき、第２決定部３０５での決定に基づいて第１決定部３０３で決定された店舗それぞれの表示態様を特定する。表示態様としては、図５に示されたように、タグの線を異ならせるものであってもよいし、色やサイズを異ならせるものであってもよい。その他、動画やその動き方を異ならせるものであってもよい。
【００５４】
なお、各店舗を識別する情報は予め記憶装置に記憶されていてもよい。この場合、生成部３０６は当該記憶装置から必要な情報を読み出した上で、上述のように表示態様を特定して、これらを含めたタグデーターを生成する。
【００５５】
または、各店舗を識別する情報は当該店舗に備えられる装置に記憶されており、サーバー３００が当該装置と通信することで取得するようにしてもよい。
【００５６】
＜動作フロー＞
図９は、携帯端末２００での動作の流れの具体例を表わすフローチャートである。図９のフローチャートに示される動作は、ＣＰＵ２０がＲＯＭ２１に記憶されるプログラムを読み出してＲＡＭ２２上で実行し、図７に示される各機能を発揮することによって実現される。
【００５７】
図９を参照して、携帯端末２００のＣＰＵ２０は、操作パネル２５からの撮影指示を受け取る（ステップＳ１０１でＹＥＳ）、ステップＳ１０３で撮影動作を実行すると共に、ステップＳ１０５でそのときの位置情報および向き情報を撮影位置および撮影方向としてサーバー３００に送信してタグデーターを要求する。
【００５８】
サーバー３００から該要求に応じてタグデーターを受信すると（ステップＳ１０７でＹＥＳ）、ステップＳ１０９でＣＰＵ２０は、受信したタグデーターに基づくタグ画像を上記ステップＳ１０３の撮影で得られた撮影画像に合成する。そして、ステップＳ１１１で、得られた画像を操作パネル２５に表示する処理を行なう。
【００５９】
図１０は、サーバー３００での動作の流れの具体例を表わすフローチャートである。図１０のフローチャートに示される動作は、ＣＰＵ３０がＲＯＭ３１に記憶されるプログラムを読み出してＲＡＭ３２上で実行し、図８に示される各機能を発揮することによって実現される。
【００６０】
図１０を参照して、サーバー３００のＣＰＵ３０は、携帯端末２００からタグデーターの要求を受け付けると（ステップＳ２０１でＹＥＳ）、ステップＳ２０３で当該要求と共に送信された撮影位置および撮影方向に基づいて携帯端末２００の撮影範囲を解析する。そして、ステップＳ２０５でＣＰＵ３０は、予め記憶されている各店舗の位置情報を参照して、当該撮影範囲に存在する店舗を決定する。ＣＰＵ３０は、ここでの決定をユーザーごとに記憶する。
【００６１】
図１１は、ユーザー情報の一例を表わした図である。図４、図５で示された例と同様に、ユーザー１およびユーザーＢがユーザーグループＡとして登録されている場合、ここでは、各ユーザーの携帯する携帯端末からのタグデーターの要求に含まれる撮影位置および撮影方向と、それらから解析される撮影範囲に含まれる店舗を特定する情報とを、ユーザー情報として記憶する。
【００６２】
次に、ＣＰＵ３０は、上記ステップＳ２０５で決定された各店舗について、当該携帯端末２００を携帯するユーザーの属するユーザーグループに属するすべてのユーザーの携帯端末の撮影範囲に存在しているか否か、つまり、当該店舗を表わすタグをすべてのユーザーで共有しているか否かを検討する。図１１の例で、現在処理対象の携帯端末がユーザーＡの携帯する携帯端末Ａである場合、ＣＰＵ３０は、携帯端末Ａの撮影範囲に存在すると決定された「店１」「店２」および「店４」それぞれについて、ユーザー情報を参照して、ユーザーＢの携帯端末Ｂの撮影範囲にも存在するか否かを確認する。
【００６３】
検討対象の店舗を表わすタグがすべてのユーザーで共有するものであった場合（ステップＳ２０７でＹＥＳ）、ステップＳ２０９でＣＰＵ３０は、当該店舗を待ち合わせ場所の候補に決定する。そして、この検討を、上記ステップＳ２０５で決定されたすべての店舗に対して行なう（ステップＳ２１１）。図１１の例の場合、「店１」および「店４」がすべてのユーザーの携帯端末の撮影範囲に存在するものであるため、これら店舗が待ち合わせ場所の候補に決定されることになる。ＣＰＵ３０は、ここでの決定をユーザーごとに記憶する。
【００６４】
図１２は、ユーザー情報の一例を表わした図である。図１２は、図１１のユーザー情報に続くものであってもよい。
【００６５】
図１２を参照して、ユーザー情報には、上記検討によってユーザーグループに属するユーザーごとに決定された、タグを表示する店舗としての携帯端末の撮影範囲に存在する店舗と、当該店舗を表わすタグの当該ユーザーグループの他のユーザーとの共有具合とが記述される。ここでは、他のユーザーとの共有具合として、当該タグを共有するユーザー数が記述されている。
【００６６】
なお、ユーザー情報は図１２の例に限定されず、図１３のようなものであってもよい。すなわち、図１３に示されるように、撮影範囲に存在すると決定された店舗ごとに、当該店舗を表わすタグを共有する他のユーザーが共有具合として記述されてもよい。
【００６７】
上記ステップＳ２０５で決定されたすべての店舗に対して検討が終了すると（ステップＳ１２１１でＹＥＳ）、ステップＳ２１３でＣＰＵ３０は上記ステップＳ２０５で決定された各店舗のタグの表示態様を上記検討結果に基づいて特定し、これら店舗を識別する情報とタグの表示態様とを含んだタグデーターを生成する。そして、ステップＳ２１５でＣＰＵ３０は、タグデーターを携帯端末２００に対して送信する。
【００６８】
＜第１の実施の形態の効果＞
携帯端末２００において上記ステップＳ１０９でこのタグデーターと撮影画像とが合成されて表示されることで、図４の例では、図５のような表示が実現される。
【００６９】
すなわち、図５に示されたように、ユーザーグループに属するユーザーＡ、ユーザーＢそれぞれの携帯端末の撮影範囲に存在する店舗を識別する情報（店名）がタグとして撮影画像に重ねて表示されると共に、当該ユーザーグループに属するすべてのユーザーの撮影範囲に属する店舗（店１、店４）を表わすタグが、他のタグと異なる、待ち合わせ場所の候補であることを表わす表示態様で表示される。
【００７０】
つまり、たとえ初めて訪れた場所であっても、それぞれのユーザーが携帯端末で撮影を行なうだけで、待ち合わせ場所としてすべてのユーザーが携帯端末を向けている範囲に存在する、適した場所を、撮影画像上で一目で確認することができる。
【００７１】
［第２の実施の形態］
＜動作概要＞
第２の実施の形態では、待ち合わせ場所の候補として複数の店舗が決定された場合に、それら店舗に対して優先順位を決定して、さらに、当該優先順位に応じた表示態様にてタグを表示させる。
【００７２】
優先順位を付与する基準の第１の例として、ユーザーグループに属する各ユーザーから当該店舗までの距離の総和を用いる例が挙げられる。すなわち、その距離の総和が小さい店舗ほど、つまり、各ユーザーから近い店舗ほど高い優先順位とする方法が挙げられる。
【００７３】
優先順位を付与する基準の第２の例として、ユーザーグループに属する各ユーザーの最寄り駅から当該店舗の最寄り駅までの料金の総和を用いる例が挙げられる。すなわち、その料金の総和が低い店舗ほど、つまり、各ユーザーから安い交通費用で到達できる店舗ほど高い優先順位とする方法が挙げられる。
【００７４】
なお、上記第１の例および第２の例の変形例として、ユーザーグループに属する各ユーザーのうち優先ユーザーを設定し、優先ユーザーから当該店舗までの距離、または優先ユーザーの最寄り駅から当該店舗の最寄り駅までの料金を用いる例が挙げられる。すなわち、優先ユーザーからの距離が小さい店舗ほど、つまり、優先ユーザーから近い店舗ほど高い優先順位とする方法、または優先ユーザーが安い交通費用で到達できる店舗ほど高い優先順位とする方法が挙げられる。
【００７５】
＜機能構成＞
図１４は、上記動作を実現するためのサーバー３００の機能構成の具体例を示すブロック図である。図１４を参照して、第２の実施の形態にかかるサーバー３００は、図８に示された機能構成に加えて、第２決定部３０５で決定された、同じユーザーグループに属するすべてのユーザーの携帯する携帯端末の撮影範囲に存在する、複数の店舗の、優先順位を決定するための第３決定部３０８をさらに含む。
【００７６】
上記第１の例の場合、第３決定部３０８は、第２決定部３０５で決定された各店舗の位置情報と、各ユーザーの携帯する携帯端末それぞれの位置情報とに基づいてその距離を算出して、店舗ごとに距離の総和を算出する。そして、その距離の総和の小さい順に優先順位を決定する。
【００７７】
上記第２の例の場合、第３決定部３０８は、図示しない検索サーバーに第２決定部３０５で決定された各店舗の位置情報と、各ユーザーの携帯する携帯端末それぞれの位置情報とを送信してそれぞれの最寄り駅の検索を指示し、さらに、その駅間の料金の検索を指示する。そして、店舗ごとに料金の総和を算出して、その総和の小さい順に優先順位を決定する。
【００７８】
なお、上記第１の例および第２の例の変形例の場合、前提として、登録部３１０が受け付けたユーザーグループを特定する情報に基づいてユーザーグループを登録する際に、優先ユーザーを設定して登録する。優先ユーザーは、予め携帯端末２００等の他の装置から設定されるものであってもよいし、登録部３１０が予め規定された条件に基づいてユーザーグループに属する複数のユーザーのうちから１人決定するものであってもよい。
【００７９】
上記第１の例の変形例の場合、第３決定部３０８は、第２決定部３０５で決定された各店舗の位置情報と優先ユーザーの携帯する携帯端末の位置情報とに基づいてその距離を算出して、店舗ごとに距離を比較する。そして、その距離の小さい順に優先順位を決定する。
【００８０】
上記第２の例の変形例の場合、第３決定部３０８は、図示しない検索サーバーに第２決定部３０５で決定された各店舗の位置情報と優先ユーザーの携帯する携帯端末の位置情報とを送信してそれぞれの最寄り駅の検索を指示し、さらに、その駅間の料金の検索を指示する。そして、店舗ごとの料金を比較して、その領域の小さい順に優先順位を決定する。
【００８１】
生成部３０６は予め、優先順位に応じた表示態様を記憶している。表示態様としては、優先順位を表わす数字を付加するものであってもよいし、優先順位に沿ったサイズや表示濃度や動画の動き方などであってもよい。
【００８２】
＜第２の実施の形態の効果＞
たとえば図４に表わされた例の場合に優先順位を付与する基準に上記第１の例を採用すると、第３決定部３０８では、図１５に示されたように、第２決定部３０５で決定された「店１」および「店４」について携帯端末Ａからの距離７０、携帯端末Ｂからの距離８０、および携帯端末Ａからの距離８０、携帯端末Ｂからの距離６０が算出される。そして、「店１」および「店４」について距離の総和として、それぞれ、１５０、１４０と算出される。そのため、「店１」には優先順位２、「店４」には優先順位１が決定される。
【００８３】
この場合、たとえば、図１６に示されるように、携帯端末Ａ，Ｂそれぞれに画面表示される。すなわち、図１６を参照して、携帯端末Ａ（図１６（Ａ））および携帯端末Ｂ（図１６（Ｂ））において、「店１」のタグに「優先度２」の標記が付加され、「店４」のタグに「優先度１」の標記が付加されて撮影画像に重ねて表示される。
【００８４】
優先順位を付与する基準に上記第２の例を採用あした場合も、第１の例の変形例、または第２の例の変形例を採用した場合であっても同様である。
【００８５】
このため、複数の待ち合わせ場所の候補の優先順位を一目で確認することができるため、たとえ初めて訪れた場所であっても、ユーザーは、適切な（すべてのユーザーから近い場所、すべてのユーザーから安い料金で到達できる場所、特定のユーザーから最も近い場所、特定のユーザーから最も安い料金で到達できる場所）待ち合わせ場所を用意に決定することができる。
【００８６】
［第１の実施の形態および第２の実施の形態の変形例１］
なお、上の例では、それぞれの携帯端末の撮影範囲に存在する店舗のうち、他のユーザーの携帯端末の撮影範囲に存在しない店舗についてもタグが表示されるものとしている。しかしながら、ユーザーグループに属するすべてのユーザーの携帯端末の撮影範囲に属する店舗についてのタグのみ表示されるようにしてもよい。すなわち、上の例の場合、「店１」および「店４」のタグのみ表示されるようにしてもよい。
【００８７】
このようにすることで、より待ち合わせ場所の候補を確認し易くなる。
［第１の実施の形態および第２の実施の形態の変形例２］
また、上の例では、ユーザーグループに属するすべてのユーザーがタグを共有する店舗のみが待ち合わせ場所の候補とされるものとしているが、２人以上のユーザーでタグが共有される店舗があれば、その店舗も待ち合わせ場所の候補としてもよい。すなわち、ユーザーグループに３以上のユーザーが属する場合、店舗を表わすタグを共有するユーザーの人数、つまり、当該店舗を撮影範囲とする携帯端末の数に応じてタグの表示態様を特定して、表示するようにしてもよい。
【００８８】
一例として、ユーザーＡ〜Ｃの３人のユーザーが属するユーザーグループに関して、図１７に表わされたように携帯端末２００Ａ〜２００Ｃでそれぞれ撮影を行なうと、サーバー３００では図１８のように店舗を表わすタグの共有具合が特定される。
【００８９】
この場合、図１９に表わされたように、すべてのユーザーで共有されている「店１」および「店４」を表わすタグは一番強調された表示態様とされ、３人のユーザーのうちの２人のユーザーで共有されている「店２」を表わすタグは次に強調された表示態様とされる。
【００９０】
このようにすることで、より多くの待ち合わせ場所の候補を得ることができる。
［第１の実施の形態および第２の実施の形態の変形例３］
なお、ユーザーグループに属するすべてのユーザーで共有する店舗を表わすタグがない場合であって、少なくとも複数のユーザーで共有する店舗を表わすタグ、たとえば上記変形例２における「店２」のタグのみがあった場合、サーバー３００は当該店舗を待ち合わせ場所の候補と特定し、撮影範囲としていない携帯端末に対して、当該店舗が撮影範囲となるように該当する携帯端末に移動を指示してもよい。
【００９１】
このとき、サーバー３００のＣＰＵ３０は、待ち合わせ場所の候補とした店舗の位置情報と当該店舗を撮影範囲としていない携帯端末の撮影位置および撮影方向とに基づいて当該携帯端末から当該店舗への方向を算出する。そして、その方向を表わす画像を表示させるためのタグデーターを生成して、当該携帯端末に対して送信する。
【００９２】
これにより、当該携帯端末には、図２０に示されるようなその方向を表わした矢印の画像が表示される。
【００９３】
このとき、ＣＰＵ３０は、上記店舗と携帯端末との間の距離に応じて矢印の長さや太さを決定してタグデーターを生成してもよい。
【００９４】
このようなタグが表示されることで、当該携帯端末を携帯したユーザーは他のユーザーにとって適した待ち合わせ場所の候補となる店舗の位置を容易に把握することができる。
【００９５】
［第１の実施の形態および第２の実施の形態の変形例４］
なお、以上の例は、待ち合わせ場所の候補がタグとして表示されるものであったが、さらに、このタグを用いて待ち合わせ場所を決定するようにしてもよい。
【００９６】
この場合、携帯端末２００の操作パネル２５に表示されたタグはタッチされることで選択可能であって、タッチされたタグを表わす情報が携帯端末２００からサーバー３００に対して送信される。そして、サーバー３００は、ユーザーグループに属する各ユーザーの携帯端末に表示されているタグごとにタッチ数をカウントし、最もカウント数の多かったタグを待ち合わせ場所として表わすタグを表示させるためのタグデーターを生成して、携帯端末２００に対して送信する。
【００９７】
図２１は、この動作を行なうためのサーバー３００の機能構成の具体例を示すブロック図である。この場合、サーバー３００は図８に示された機能に加えて、待ち合わせ場所を決定するための第４決定部３０９をさらに含む。
【００９８】
第４決定部３０９は、図示しないカウンタを含んで、ユーザーグループに属する各ユーザーの携帯端末に表示されているタグごとにタッチ数をカウントする。そして、最もカウント数の大きい店舗を待ち合わせ場所として決定し、その情報を生成部３０６に渡す。生成部３０６は、予め規定された待ち合わせ場所として決定した店舗のタグの表示態様に基づいて当該店舗を表わすタグの表示態様を特定し、改めてタグデーターを生成する。
【００９９】
これにより、最適な待ち合わせ場所を決定することが可能となる。
さらに、上述の動作をサーバー３００および携帯端末２００に実行させるためのプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１００】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１０１】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１０２】
提供されるプログラム製品は、ハードディスクなどのプログラム格納部にインストールされて実行される。なお、プログラム製品は、プログラム自体と、プログラムが記録された記録媒体とを含む。
【０１０３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０４】
１  情報処理システム、２０，３０  ＣＰＵ、２１，３１  ＲＯＭ、２２，３２  ＲＡＭ、２３  電子コンパス、２４  ＧＰＳコントローラー、２５  操作パネル、２６  カメラ、２７，３４  通信コントローラー、２８  メモリー、３３  ＨＤ、２００，２００Ａ，２００Ａ〜２００Ｃ  携帯端末、２０１  指示入力部、２０２  位置取得部、２０３  向き取得部、２０４  画像取得部、２０５  サーバー要求部、２０６  タグデーター入力部、２０７  表示処理部、２０９  設定部、３００  サーバー、３０１  要求入力部、３０２  解析部、３０３  第１決定部、３０４  更新部、３０５  第２決定部、３０６  生成部、３０７  送信部、３０８  第３決定部、３０９  第４決定部、３１０  登録部、３３１  店舗情報記憶部、３３２  ユーザー情報記憶部。
【図１】
2013054509.tif 000003
【図２】
2013054509.tif 000004
【図３】
2013054509.tif 000005
【図４】
2013054509.tif 000006
【図５】
2013054509.tif 000007
【図６】
2013054509.tif 000008
【図７】
2013054509.tif 000009
【図８】
2013054509.tif 000010
【図９】
2013054509.tif 000011
【図１０】
2013054509.tif 000012
【図１１】
2013054509.tif 000013
【図１２】
2013054509.tif 000014
【図１３】
2013054509.tif 000015
【図１４】
2013054509.tif 000016
【図１５】
2013054509.tif 000017
【図１６】
2013054509.tif 000018
【図１７】
2013054509.tif 000019
【図１８】
2013054509.tif 000020
【図１９】
2013054509.tif 000021
【図２０】
2013054509.tif 000022
【図２１】
2013054509.tif 000023